(57)【要約】【課題】従来から動植物油を含む排水を微生物により処理する種々の発明が既に提案されているが、殊に担体表面に肥厚する動植物油の油分解性を有する生物膜（汚泥）を剥離しなければ、油分解性を有する微生物を担体に保持することが難しくなり、油分解性を有する微生物の活性化も促進できない。【解決手段】本発明は、流量調整槽と、好気濾床曝気の生物処理槽と、沈殿槽から構成され、担体表面に肥厚する動植物油の油分解性を有する生物膜の剥離ができ、動植物油を含む排水を生物処理槽にて油分、ＢＯＤ分を同時に浄化し、特に好気濾床曝気の生物処理槽では多孔質ウレタン発泡材の担体を担体収納用ケージに収納、充填することにより油分解菌、好気性菌を高密度に保持でき、油分、ＢＯＤ分を効率良く炭酸ガスと水に分解、浄化する含油排水処理方法及び装置を提供するものである。【選択図】図１
2005199167.tif 000002
【特許請求の範囲】
【請求項１】
含油排水負荷を均一にする流量調整工程と、油分解菌投入工程、接触曝気工程、好気濾床工程からなる前記含油排水を処理する方法であって、前記接触曝気工程では曝気強度を７〜９ｍ3／ｍ3・時の超過曝気を維持し、前記好気濾床工程から生じる汚泥を固液分離する沈殿工程とからなり、前記好気濾床工程は、多孔質ウレタン発泡材からなる担体を充填し、且つ担体収納用ケージに収納することによって高濃度で微生物を保持し、且つ閉塞・流出を防止することを特徴とする含油排水の処理方法。
【請求項２】
含油排水を処理する処理装置であって、前記含油排水の処理流量を調整する流量調整槽と、油分解菌投入装置、接触曝気装置、好気濾床装置とを具備し、好気濾床装置から生じる汚泥を固液分離する沈殿槽とからなり、前記好気濾床装置は、多孔質ウレタン発泡材からなる担体を充填し、前記担体は担体収納用ケージに収納されていることを特徴とする含油排水の処理装置。
【請求項３】
前記担体収納用ケージ内の前記担体は、容積比を５０〜９０％とすることを特徴とする請求項１に記載の含油排水の処理方法。
【請求項４】
前記担体収納用ケージ内の前記担体は、容積比を５０〜９０％とすることを特徴とする請求項２に記載の含油排水の処理装置。
【発明の詳細な説明】
【技術分野】
【０００１】
本発明は、動植物油等を含む含油排水を好気性微生物により処理する含油排水の処理方法及び装置に関する。
【背景技術】
【０００２】
従来、食品製造工場の油脂含有排水、油脂含有厨房排水の処理装置及び方法については、予め油脂分を薬品で凝集させ、加圧浮上装置により前処理した後、生物膜を利用した接触曝気方式や、活性汚泥方式が一般に用いられてきたが、悪臭、薬品使用量が多い、汚泥発生量が多い、ランニングコストが高い、設置スペースが大きいなどの課題が山積しており、その改良技術として、含油排水を前段でｐＨ調整し、ｐＨ調整された排水に油分解菌を添加して、好気性下処理する複数段の生物処理工程（手段）から構成され、生物処理工程のうち、少なくとも一つが担体を固定した濾床工程（手段）と曝気下で生物処理する曝気工程（手段）と、曝気工程（手段）の処理水の一部を濾床工程（手段）に散水する循環・散水工程（手段）、生物処理工程（手段）で処理された排水を固液分離する沈殿工程（手段）、沈殿物を生物処理工程（手段）に返送する返送工程（手段）からなる植物油含有排水方法が知られている（例えば、特許文献１、特許文献２参照）。
【０００３】
また、含油排水中の油分を油分解菌の生物学的作用で分解する油分解槽と、油分解槽からの有機性排水を好気性生物処理する生物処理槽と、生物処理後の汚泥と処理水との混合液を固液分離する汚泥分離手段と、分離汚泥の一部を生物処理槽に循環する汚泥循環流路と、残部の分離汚泥を可溶化する汚泥可溶化処理槽と、可溶化された汚泥を生物処理槽に循環する可溶化汚泥循環流路を設けた含油排水処理装置もあげられる（例えば、特許文献３参照）。
【特許文献１】特開２００２−０１８４８１号公報（第２頁）
【特許文献２】特開２００２−０１８４５８号公報（第２頁）
【特許文献３】特開２００２−２３３８９０号公報（第３頁）
【発明の開示】
【発明が解決しようとする課題】
【０００４】
以上のように、従来から動植物油を含む排水を微生物により処理する種々の発明が既に提案されているが、これらの技術背景は、排水に含有される動植物油の油分解性を有する微生物での生物処理装置及び方法を構成するものであって、これらの点については確かに夫々に有用・特異性を有するものと考えられる。
【０００５】
しかしながら、殊に担体表面に肥厚する動植物油の油分解性を有する生物膜（汚泥）の剥離については、これらの背景技術のいずれにも記載がなく、担体表面に肥厚する動植物油の油分解性を有する生物膜（汚泥）を剥離しなければ、油分解性を有する微生物を担体に保持することが難しくなり、油分解性を有する微生物の活性化も促進できない。
【０００６】
したがってこの意味で油分解性を有する微生物での生物処理に関しての分解効果、担体保持、運転方法等の点で課題が生じていることになる。
【０００７】
本発明は、このような課題に鑑みなされたもので、流量調整槽（又は、流量調整工程）、好気濾床接触曝気の生物処理槽（又は、生物処理工程）、沈殿槽（又は、沈殿工程）とから構成され、担体表面に肥厚する動植物油の油分解性を有する生物膜の剥離ができ、動植物油を含む排水を好気濾床接触曝気の生物処理槽（又は、生物処理工程）にて油分、ＢＯＤ分を同時に浄化できる。
【０００８】
特に好気濾床接触曝気の生物処理槽（又は、生物処理工程）では、多孔質ウレタン発泡材の担体を担体収納用ケージ内に収納、充填することにより油分解菌、好気性菌を高密度に保持でき、油分、ＢＯＤ分を効率良く炭酸ガスと水に分解、浄化する含油排水処理方法及び装置を提供するものである。
【０００９】
さらに、本発明は、上記含油排水処理方法を実施することが好適で、槽・装置（又は、工程）構成が簡単で、設備のイニシャルコスト及びランニングコストが低く、短期に処理できる含油排水の処理方法及び装置を提供するものである。
【課題を解決するための手段】
【００１０】
本発明の含油排水の処理方法は、含油排水負荷を均一にする流量調整工程と、油分解菌投入工程、接触曝気工程、好気濾床工程からなる前記含油排水を処理する方法であって、前記接触曝気工程では曝気強度を７〜９ｍ3／ｍ3・時の超過曝気を維持し、前記好気濾床工程から生じる汚泥を固液分離する沈殿工程とからなり、前記好気濾床工程は、多孔質ウレタン発泡材からなる担体を充填し、且つ担体収納用ケージに収納することによって高濃度で微生物を保持し、且つ閉塞・流出を防止するものである。
【発明の効果】
【００１１】
本発明によれば、含油排水を超過曝気（曝気強度７〜９ｍ3／ｍ3・時）にすることで、好気濾床工程において、担体収納用ケージ内の多孔質ウレタン発泡材の担体に担持せしめた油分解菌が、活発に活動しやすい環境を作り出し、油分解菌により油水分離を行なわずに油を分解できる。
【００１２】
さらに、担体収納用ケージ内に収納することで、多孔質ウレタン発泡材の担体の閉塞・流出及び摩耗を防止できる。
【発明を実施するための最良の形態】
【００１３】
本発明の請求項１〜４記載の発明は、含油排水を超過曝気にすることで、好気濾床装置（又は、好気濾床工程）において、担体収納用ケージ内の多孔質ウレタン発泡材の担体に担持せしめた油分解菌（バチルス菌、シュドモナス菌等）が、活発に活動しやすい環境を作り出し、油分解菌により油水分離を行わずに油（Ｎ−ヘキサン）を分解できる。
【００１４】
また、油分解菌の一つであるバチルス菌を繁殖させることでバチルス菌特有の脱臭効果が増大し、腐敗臭も超過曝気とバチルス菌による相乗効果で効果的に防止できる。
【００１５】
さらに、担体収納用ケージ内に多孔質ウレタン発泡材の担体を収納することで、多孔質ウレタン発泡材の担体の閉塞・流出及び摩耗を防止できる。
【００１６】
そのうえ、超過曝気により担体収納用ケージ同士が相互に強くぶつかり合い、同時に担体収納用ケージ内の多孔質ウレタン発泡材の担体（担体収納用ケージ内の担体の容積比を５０〜９０％とする）が揺れ動くことで、多孔質ウレタン発泡材の担体表面に肥厚する動植物油の油分解性を有する生物膜（死滅した油分解菌等）を剥離することができ、安定して確実に油を分解できる。
【実施例】
【００１７】
以下、本発明の含油排水の処理方法及び装置の一実施例について、図面を用いて説明する。
【００１８】
図１は、本発明の実施例の含油排水の処理方法及び装置を示すフロー図、図２は、同例の担体収納用ケージの外観図である。
【００１９】
図１（及び、図２）において、１は原水槽２内に取り込まれる動植物油等を含む含油排水（原水）を示し、必要に応じて原水槽２内底部の散気管８から空気を供給し、含油排水１の腐敗（固形化）を防止している。
【００２０】
この含油排水１は、以後の各処理装置（又は、各処理工程）の含油排水１の負荷を均一にするために、含油排水１の処理流量を調整する流量調整槽３（又は、流量調整工程３ａ）に送られる。なお、この流量調整槽３（又は、流量調整工程３ａ）において、必要に応じてｐＨ調整（略中性のｐＨ＝６〜８）がなされたり、散気管８から空気を供給したりする。これらの各（浄化）処理装置（又は、処理工程）のフローは矢印（→）で示し、以降同様の説明とする。
【００２１】
４は油分解菌投入装置（又は、油分解菌投入工程４ａ）を示し、油分解菌としてバチルス菌、シュドモナス菌等の微生物が含油排水１に投入・添加され、次の生物処理の好気濾床装置５（又は、好気濾床工程５ａ）、接触曝気装置９（又は、接触曝気工程９ａ）に送られる。油分解菌は運転開始時に投入し、追加投入は通常行なわれない。
【００２２】
この好気濾床装置５（又は、好気濾床工程５ａ）には、予め担体６を内部に収納・充填した（例えば球形状の）担体収納用ケージ７が浸漬されている。この担体６としては、例えば多孔質ウレタン発泡材からなるものであり、その表面に油分解菌を高濃度・安定化して担持・保持し、同時に担体収納用ケージ７は、担体６が分断・分解・摩耗して担体収納用ケージ７外に目開きから流出するのを防止し、閉塞するのを防止する。
【００２３】
つまり、多孔質ウレタン発泡材の担体６は比表面積が高く、その表面に多数の油分解菌・微生物を担持することが可能となる。この多孔質ウレタン発泡材の担体６表面には、担持した油分解菌だけでなく、その代謝物や含油排水１中のＢＯＤ（生物化学的酸素要求量）成分を栄養分とした多様な生物相が形成されているが、油分と同時にＢＯＤ成分等も効果的に除去が可能となる。
【００２４】
接触曝気装置９（接触曝気工程９ａ）は、好気濾床装置５（又は、好気濾床工程５ａ）を超過曝気（曝気強度７〜９ｍ3／ｍ3・時）状態に維持する。その超過曝気（空気の浮上）は、まず、好気濾床装置５（又は、好気濾床工程５ａ）の溶存酸素濃度（ＤＯ）・酸素溶解効率を高く維持し、高好気状態を保つので悪臭気発生が大幅に改善される。また後述するが、担体収納用ケージ７や多孔質ウレタン発泡材の担体６が相互に揺動・衝突を繰り返すので、多孔質ウレタン発泡材の担体６の酸素吸収効率が高められ、油分解菌の活性化・安定化・高密度化ができる。したがって、同時に担体収納用ケージ７の表面が油によって閉塞されるのを防止することもできる。
【００２５】
この場合、多孔質ウレタン発泡材の担体６としての比重は、１．２〜１．５を目安とし、また、担体収納用ケージ７内の多孔質ウレタン発泡材の担体６は、その容積比を５０〜９０％とすることで、担体収納用ケージ７内の多孔質ウレタン発泡材の担体６の揺動・衝が容易（活発）となり、生物膜の剥離ができ、かつ油分解菌の活性化につながる。
【００２６】
ここに、油分解菌投入装置４（又は、油分解菌投入工程４ａ）、好気濾床装置５（又は、好気濾床工程５ａ）、接触曝気装置９（又は、接触曝気工程９ａ）を総称して、生物処理槽１０（又は、生物処理工程１０ａ）とする。
【００２７】
なお、１５は計測手段を示し、好気濾床装置５（又は、好気濾床工程５ａ）のｐＨやＢＯＤ等の処理〜変化状態の経緯を計測し、所定の超過接触曝気がなされ含油排水１の浄化処理がなされる。
【００２８】
計測手段１５によって浄化が終了（計測値を確認）し、汚泥分が無い場合は、切換手段ａ（１６ａ）によって、そのまま処理水（放流水）１２として外部に放流する。しかし、浄化が終了（計測値を確認）し、汚泥分が有る場合は、切換手段ａ（１６ａ）によって、次の沈殿槽１１（又は、沈殿工程１１ａ）に送られ、生物処理槽１０（又は、生物処理工程１０ａ）における生物反応から生じた汚泥を固液分離し、液分は処理水（放流水）１２として外部に放流する。
【００２９】
汚泥分は、返送汚泥１３、又は余剰汚泥１４として戻されて再び循環・浄化処理がなされる。すなわち、含油排水１の汚れ（含油排水１負荷）の程度・状態に応じて、切換手段ｂ（１６ｂ）によって返送汚泥１３、又は余剰汚泥１４として、そのいずれかが選択される。
【００３０】
１)汚れ（油分の過多等）が大きく、再度循環させて（浄化）処理をした方が効率的な場合は、例えば、余剰汚泥１４は流量調整槽３（又は、流量調整槽工程３ａ）の前に戻される。
【００３１】
２)汚れ（油分の過少等）が少なく、好気濾床装置５（又は、好気濾床工程５ａ）、接触曝気装置９（又は、接触曝気工程９ａ）のｐＨやＢＯＤ等が、超過曝気によって油分解菌・微生物が死滅するような状況になるのを未然に防ぐために、急遽、返送汚泥１３分を生物処理槽１０（又は、生物処理工程１０ａ）の前に戻される。
【００３２】
このように、計測手段１５の計測によって、制御手段（図示等による詳細説明は、省略する）は、処理水１２の放流や浄化処理（運転）継続・終了等の判定を行ない、例えば、溶存酸素濃度（ちなみにこの時のＢＯＤ値は２００〜３００）の変化がなくなるところで判断される。
【００３３】
好気濾床装置５（又は、好気濾床工程５ａ）における曝気強度について述べると、通常の排水処理施設における曝気強度は一般的に１〜４ｍ3／ｍ3・時とされており、仮に曝気強度を８ｍ3／ｍ3・時に上げるとＢＯＤ（生物化学的酸素要求量）が急激に下がり、かつ硝化が促進され、ｐＨが酸性（ｐＨ５以下）に傾き、菌（微生物）の活性がなくなる。
【００３４】
しかし本実施例においては、超過曝気強度７〜９ｍ3／ｍ3・時（好ましくは８ｍ3／ｍ3・時）を維持する。その理由は、含油排水１は汚れている油が存在することにより、曝気強度８ｍ3／ｍ3・時の状態でもＢＯＤが高く（ＢＯＤの降下が少なく）、硝化促進もしない。
【００３５】
すなわち、超過曝気を行なうことで、
１)個々の担体収納用ケージ７（及び、多孔質ウレタン発泡材の担体６）が揺動・衝突・回動し、
２)含油排水１、油分解菌が大きく攪拌・流動され、さらに好気濾床装置５（又は、好気濾床工程５ａ）がほぼ均等に高好気状態となる。
【００３６】
したがって、１)各担体収納用ケージ７が不規則（無秩序）に揺れ動いて、装置壁面や互いに衝突（回動も）し合い、同時に担体収納用ケージ７内の多孔質ウレタン発泡材の担体６の揺動・衝突を誘って、油分解菌の担持が容易となる。
【００３７】
２)高好気状態は、多孔質ウレタン発泡材の担体６の揺動によって油分解菌・微生物を活性化し、含油排水１の油分解作用が一層促進される。
【００３８】
３)多孔質ウレタン発泡材の担体６の揺動・衝突によって、多孔質ウレタン発泡材の担体６表面に肥厚する生物膜の剥離を効率的に行ない、閉鎖を未然に防ぐことができる。つまり、単に多孔質ウレタン発泡材の担体６を流動させるだけでは、生物を多孔質ウレタン発泡材の担体６表面に高濃度で担持することはできるが、流動・衝突により多孔質ウレタン発泡材の担体６が摩耗・小粒化し、多孔質ウレタン発泡材の担体６流出防止用スクリーン等であれば目詰まりしてしまう。が、本実施例のように、担体収納用ケージ７内に収納することによって、担体収納用ケージ７内部で揺動・流動化するので、担体収納用ケージ７外殻表面の目開きが大きくても流出や目詰まりが防止できる。
【００３９】
本実施例による効果は、１)含油排水１を、油水分離を行なわず（槽・装置・工程を分けず）に浄化処理する優れた生物処理システムである。
【００４０】
２)含油排水１の処理だけでなく、悪臭発生の防止や処理後の廃棄物（余剰汚泥や脱水ケーキ）削減も可能とする。
【００４１】
３)好気濾床装置５（好気濾床工程５ａ）では、多孔質ウレタン発泡材の担体６を担体収納用ケージ７内に充填することで油分解菌・好気性菌を高密度に着生・保持・固定化でき、油分・ＢＯＤ分を効率よく炭酸ガスと水とに分解・浄化・除去できる。
【００４２】
４)シンプルな運転（加圧浮上が不要等）管理が容易である。
【００４３】
５)薬品類の補充作業や凝集状態確認等が不要となる。
【００４４】
６)別に、計測手段や制御手段を本実施例に付加して用いることにより、浄化処理運転が容易に自動化できることは自明である。
【産業上の利用可能性】
【００４５】
本発明の含油排水の処理方法及び装置を用いて、従来の一般の汚染排水処理の方法・装置と組み合せて併設すれば、両排水浄化処理を同時に多機能化・兼用合理化して低価格、かつ短期に浄化処理することにも容易に適用できる。
【図面の簡単な説明】
【００４６】
【図１】本発明の一実施例における含油排水の処理方法及び装置を示すフロー図
【図２】同例の担体収納用ケージの外観図
【符号の説明】
【００４７】
１    含油排水（原水）
２    原水槽
３    流量調整槽（又は、流量調整工程３ａ）
４    油分解菌投入装置（又は、油分解菌投入工程４ａ）
５    好気濾床装置（又は、好気濾床工程５ａ）
６    担体
７    担体収納用ケージ
８    散気管
９    接触曝気装置（又は、接触曝気工程９ａ）
１０    生物処理槽（又は、生物処理工程１０ａ）
１１    沈殿槽（又は、沈殿工程１１ａ）
１２    処理水（放流水）
１３    返送汚泥
１４    余剰汚泥
１５    計測手段
１６ａ    切換手段ａ
１６ｂ    切換手段ｂ
【図１】
2005199167.tif 000003
【図２】
2005199167.tif 000004